(57)【要約】【課題】  遮蔽部材や覗窓等の別設の部品を必要とせずに、軽量化が可能で、コストが安くなり、気密性が充分に保持され、しかも整形の進捗状態の監視が容易なチップドレッサ用切粉捕捉ケ―スを提供する。【解決手段】  切粉捕捉ケ―ス７内にカッタ２を配置し、該ケ―ス２内で両チップを整形するチップドレッサ１において、切粉捕捉ケ―ス７を断面が多角形又は円形の透明な合成樹脂製の筒体で構成し、該筒体の上部側の一面にカッタ挿入用開口８を形成すると共に該カッタ挿入用開口の面と略直交した両周面にチップ挿入用の切目９，９を形成したチップドレッサ用切粉捕捉ケ―ス。【選択図】  図１
0003113498.tif 000002
【実用新案登録請求の範囲】
【請求項１】
切粉捕捉ケ―ス内にカッタを配置し、該ケ―ス内で両チップを整形するチップドレッサにおいて、切粉捕捉ケ―スを断面が多角形又は円形の透明な合成樹脂製の筒体で構成し、該筒体の上部側の一面にカッタ挿入用開口を形成すると共に該カッタ挿入用開口の面と略直交した両周面にチップ挿入用の切目を形成したことを特徴とするチップドレッサ用切粉捕捉ケ―ス。
【請求項２】
前記チップ挿入用の切目を縦，横方向に形成したことを特徴とする請求項１記載のチップドレッサ用切粉捕捉ケ―ス。
【請求項３】
前記チップ挿入用の切目を放射方向に形成したことを特徴とする請求項１記載のチップドレッサ用切粉捕捉ケ―ス。
【請求項４】
前記筒体の下端開口部にカッタにより切削された切粉を回収する回収口を形成したことを特徴とする請求項１又は請求項２又は請求項３記載のチップドレッサ用切粉捕捉ケ―ス。
【請求項５】
前記筒体にエア―ノズルを挿入する開口を設け、エア―ノズルからのエア―をカッタに吹き付けるようにしたことを特徴とする請求項１又は請求項２又は請求項３又は請求項４記載のチップドレッサ用切粉捕捉ケ―ス。
【考案の詳細な説明】
【技術分野】
【０００１】
本考案は、切粉捕捉ケ―ス内にカッタを配置し、該ケ―ス内で溶接機の両チップを整形するのに適したチップドレッサに関するものである。
【背景技術】
【０００２】
従来，断面が略角形の筒体で構成した切粉捕捉ケ―スの上部側一側面にカッタ挿入用開口を形成すると共に該カッタ挿入用開口の面に直交して隣接した両側面にチップ挿入用の開口を形成し、切粉捕捉ケ―ス内にカッタを配置してケ―ス内で溶接機の両チップを整形するようにしたチップドレッサがある（例えば、特許文献１参照。）。
【０００３】
【特許文献１】特開２００３ー１４３５号公報（図５，図６参照。）。
【考案の開示】
【考案が解決しようとする課題】
【０００４】
ところで、上記従来の技術においては、ケ―ス内でチップを整形するために形成した筒体の側面のチップ挿入用の開口は、チップの整形中に切削された切粉がケ―ス外に飛散するようなことがないようにするため前記開口の外側にゴム製等の弾性を有するチップの挿入が可能な遮蔽部材を重ねて配置されるようになっていることから、その構成が複雑であり製造コストが嵩ばるものである。また、チップの整形中にその整形の進捗状態を監視するのには、筒体が不透明なため筒体の側面に覗窓を特設する必要がある、という問題がある。
【０００５】
本考案は、従来の技術の有するこのような問題点に鑑みてなされたものであり、その目的とするところは、遮蔽部材や覗窓等の別設の部品を必要とせずに、軽量化が可能で、コストが安くなり、気密性が充分に保持され、しかも整形の進捗状態の監視が容易なチップドレッサ用切粉捕捉ケ―スを提供しようとするものである。
【課題を解決するための手段】
【０００６】
上記目的を達成するために、本考案におけるチップドレッサ用切粉捕捉ケ―スは、切粉捕捉ケ―スを断面が多角形又は円形の透明な合成樹脂製の筒体で構成し、該筒体の上部側の一面にカッタ挿入用開口を形成すると共に該カッタ挿入用開口の面と略直交した両周面にチップ挿入用の切目を形成したことを特徴とするものである。
【０００７】
また、前記チップ挿入用の切目を縦，横方向に形成した、あるいは前記チップ挿入用の切目を放射方向に形成したことを特徴とするものである。
【０００８】
また、前記筒体の下端開口部にカッタにより切削された切粉を回収する回収口を形成したことを特徴とするものである。
【０００９】
また、前記筒体にエア―ノズルを挿入する開口を設け、エア―ノズルからのエア―をカッタに吹き付けるようにしたことを特徴とするものである。
【考案の効果】
【００１０】
本考案に係るチップドレッサ用切粉捕捉ケ―スでは、切粉捕捉ケ―スを断面が多角形又は円形の透明な合成樹脂製の筒体で構成し、該筒体の上部側の一面にカッタ挿入用開口を形成すると共に該カッタ挿入用開口の面に略直交した両周面にチップ挿入用の切目を形成したので、切粉捕捉ケ―スが透明な筒体であることから覗窓を特設することなくどこからでもチップの整形の進捗状態が目視でき、またチップ挿入用として合成樹脂製の筒体の両周面に直接に切目を形成したことからチップの挿入用部材を別形成して取り付けることなく比較的に丈夫で簡単に形成でき且つ気密性も切目の弾性力で保持され、総体的に軽量化が可能で、コストが安くなり、しかも整形の進捗状態の監視が容易なチップドレッサ用切粉捕捉ケ―スとなる。
【００１１】
また、前記チップ挿入用の切目を縦，横方向に形成する，あるいは前記チップ挿入用の切目を放射方向に形成する場合は、予想される溶接機のチップの形状やケ―ス内へのチップの進入経路等に適応した切目を採用することにより気密性のある操作が容易なチップドレッサ用切粉捕捉ケ―スとなる。そして、ロボットに溶接機の動きをティ―チングした後であっても、そのチップの進入経路に沿って切粉捕捉ケ―スの周面に切目を入れることができるので切粉捕捉ケ―ス使用範囲が広く柔軟に適応できるものでもある。
【００１２】
また、前記筒体の下端開口部にカッタにより切削された切粉を回収する回収口を形成した場合には、切削された切粉の回収が容易であり、切粉の再利用にも有利であるチップドレッサ用切粉捕捉ケ―スとなる。
【００１３】
さらに、前記筒体にエア―ノズルを挿入する開口を設け、エア―ノズルからのエア―をカッタに吹き付けるようにした場合には、カッタへの切粉の付着を吹き飛ばしてカッタの目詰まりが防止されるとともにカッタからの切粉を切粉捕捉ケ―ス内で安全で迅速に誘導することができるチップドレッサ用切粉捕捉ケ―スとなる。
【考案を実施するための最良の形態】
【００１４】
チップドレッサ用切粉捕捉ケ―スとして、該ケ―スを断面が多角形又は円形の透明な合成樹脂製の筒体で構成し、筒体の上部側の一面にカッタ挿入用開口を形成すると共に該カッタ挿入用開口の面に略直交した両周面にチップ挿入用の切目を形成したことで構成部品の省略を実現した。
【実施例１】
【００１５】
図１は本考案に係る切粉捕捉ケ―スを備えたチップドレッサの概略平面図、図２はその正面図である。
【００１６】
図において、１はスタンド型のチップドレッサであり、該チップドレッサ１は、先端側にカッタ２を配置し内部に伝動ギヤ等を内蔵したドレッサ本体３と、該ドレッサ本体３に動力を付与するモ―タ４と、これらドレッサ本体３とモ―タ４とをスタンド５の上部側に保持する保持板６とで概略構成されている。
【００１７】
また、前記ドレッサ本体３の先端側のカッタ２は切粉捕捉ケ―ス７内に位置しており、カッタ２によって整形されるチップの切粉は切粉捕捉ケ―ス７内に貯溜して回収されるようになっている。
【００１８】
前記切粉捕捉ケ―ス７は、断面形状が角形の透明な合成樹脂製の例えばペットボトルのようなものであり筒体に構成されている。なお、切粉捕捉ケ―ス７の断面形状は角形でも六角，八角，その他の多角形あるいは円形状でもよい。
【００１９】
そして、この切粉捕捉ケ―ス７である筒体の上部側の一面にはカッタ挿入用開口８が形成されており、該カッタ挿入用開口８の面に直交した両周面にはチップ挿入用の切目９，９がそれぞれ形成されており、この切粉捕捉ケ―ス７は適当な保持手段によって前記ドレッサ本体３側に保持されている。
【００２０】
以上ような構成を備えたチップドレッサにおいて、先づ，整形すべき溶接機の両チップは、矢印イ方向からのチップと矢印ロ方向からのチップとがそれぞれ筒体の周面に形成した切目９，９を貫通して切粉捕捉ケ―ス７の上部側に挿入され、前記チップの各先端側がカッタ２の一方側と他方側とにそれぞれ当接される。
【００２１】
チップの各先端側がカッタ２にそれぞれ当接されるとモ―タ４を駆動することにより、モ―タ４からの回転力はドレッサ本体３内の伝動ギヤ等を介して該ドレッサ本体３の先端側のカッタ２に伝達され、カッタ２を回転させことにより、該カッタ２の両面に当接されているチップは切粉捕捉ケ―ス７内で同時に整形される。
【００２２】
ところでこの考案によれば、前述の如く切粉捕捉ケ―ス７は透明な筒体で構成されていることから、チップの整形の進捗状態は覗窓を特設することなくどこからでも目視することができる。また、切粉捕捉ケ―ス７にはチップ挿入用として合成樹脂製の筒体の両周面に直接に切目９，９が形成されていることから、チップの挿入用部材を別形成して取り付けることなく、チップの挿入部を、切粉捕捉ケ―ス７の周面で比較的に丈夫で簡単に形成することができ、しかも切粉捕捉ケ―ス７の気密性も切目９，９の弾性力で保持されるのである。
【実施例２】
【００２３】
前記実施例１におけるチップ挿入用の切目９を図３に示すように、断面が角形の筒体からなる切粉捕捉ケ―ス７の両側面のそれぞれに、縦方向に長い１本の切目９１と該切目９１と直角に交合う複数の切目９２のようなものを形成する。
【００２４】
このような切目９１，９２の構成にすると、切粉捕捉ケ―ス７に対してチップの進入経路が複雑でチップの形状も複雑なようなものにも適用し易くなる。
【実施例３】
【００２５】
前記実施例１におけるチップ挿入用の切目９を図４に示すように断面が角形の筒体からなる切粉捕捉ケ―ス７の両側面のそれぞれに，あるいは図５に示すように断面が円形の筒体からなる切粉捕捉ケ―ス７の両側面のそれぞれに、中心部から放射方向の切目９３のようなものを形成する。
【００２６】
このような切目９３の構成にすると、切粉捕捉ケ―ス７に対してチップの進入経路が単純でチップの形状も単純なようなものに適用することが好ましくなる。
【実施例４】
【００２７】
図２において、切粉捕捉ケ―ス７である筒体の下端開口部にカッタ２により切削された切粉を回収する回収口１０を形成する。
【００２８】
このように切粉捕捉ケ―ス７に切粉を回収する回収口１０を形成すると、チップドレッサによって切削された切粉が切粉捕捉ケ―ス７内に貯溜され、これを適宜回収するのにその回収が容易にでき、切粉の再利用にも有利である。
【実施例５】
【００２９】
図１，図２において、切粉捕捉ケ―ス７である筒体にエア―ノズル１１を挿入する開口１２を設け、エア―ノズル１１からのエア―をカッタ２に吹き付けるようにする。
【００３０】
このようにして切粉捕捉ケ―ス７内にエア―を供給することによって、切粉捕捉ケ―ス７内のカッタ２への切粉の付着が吹き飛ばされてカッタ２の目詰まりが防止されるとともにカッタ２からの切粉を切粉捕捉ケ―ス７内で安全で迅速に下方に誘導することができる。
【図面の簡単な説明】
【００３１】
【図１】本考案に係る切粉捕捉ケ―スを備えたチップドレッサの概略平面図である。
【図２】本考案に係る切粉捕捉ケ―スを備えたチップドレッサの概略正面図である。
【図３】切粉捕捉ケ―スの周面に形成した切目の説明図である（実施例２）。
【図４】切粉捕捉ケ―スの周面に形成した切目の説明図である（実施例３）。
【図５】切粉捕捉ケ―スの周面に形成した切目の説明図である（実施例３）。
【符号の説明】
【００３２】
１                      チップドレッサ
２                      カッタ
７                      切粉捕捉ケ―ス
８                      カッタ挿入用開口
９，９１，９２，９３    切目
１０                    切粉回収用の回収口
１１                    エア―ノズル
１２                    エア―ノズル挿入用の開口
【図１】
0003113498.tif 000003
【図２】
0003113498.tif 000004
【図３】
0003113498.tif 000005
【図４】
0003113498.tif 000006
【図５】
0003113498.tif 000007